(57)【要約】【課題】ポケットに装着した時、筆記先端部が没入した状態を維持し、筆記先端部が突出することのないノック筆記具を簡単な構造で提供する【解決手段】軸筒内に、筆記具用レフィルをコイルスプリングにより軸筒後端方向に付勢して配設するとともに、軸筒に後端部に、軸筒後端開口部から突出して付設したノック体を押圧することによって、前記筆記具用レフィルの筆記先端部を軸筒の先端開口部から出没可能な出没機構を具備したノック式筆記具に紐部材を装着してなる紐部材付きノック式筆記具であって、前記ノック体を着脱自在に付設するとともに、該ノック体の後端部に貫通孔を形成し、前記紐部材が、前記ノック体の貫通孔を連通して装着してあることを特徴とする。【選択図】          図１
2007021795.tif 000002
【特許請求の範囲】
【請求項１】
軸筒内に、筆記具用レフィルをコイルスプリングにより軸筒後端方向に付勢して配設するとともに、軸筒に後端部に、軸筒後端開口部から突出して付設したノック体を押圧することによって、前記筆記具用レフィルの筆記先端部を軸筒の先端開口部から出没可能な出没機構を具備したノック式筆記具に紐部材を装着してなる紐部材付きノック式筆記具であって、前記ノック体を着脱自在に付設するとともに、該ノック体の後端部に貫通孔を形成し、前記紐部材が、前記ノック体の貫通孔を連通して装着してあることを特徴とする紐部材付きノック式筆記具。
【請求項２】
前記出没機構が、ノック体、押し棒、回転カム、カム溝からなる回転カムによる出没機構であって、前記紐部材が、前記押し棒の後端部に形成した貫通孔を連通するとともに、前記紐部材に、押し棒の貫通孔の径より大きい抜け防止部を一体に形成または付設したことを特徴とする請求項１に記載の紐部材付きノック式筆記具。
【発明の詳細な説明】
【技術分野】
【０００１】
本発明は、ノック式筆記具に関し、さらに詳しくは、紐部材を装着した紐部材付きノック式筆記具に関する。
【背景技術】
【０００２】
従来から、ノック式筆記具において、筆記具用レフィルの筆記先端部が突出した状態でポケット等の布地に挟着した時、特に筆記具用レフィルが、低粘度である水性インキや２５℃において粘度が３０００ｍＰａ・ｓ以下の油性インキ、あるいは剪断減粘性を付与したインキを収容したボールペンレフィルである場合には、前記インキがポケットの布地に染み込み汚してしまうという問題があり、ポケット等に装着した場合には筆記先端部が没入する、いわゆるセーフティ機構を設けることが切望されている。
【０００３】
従来のセーフティ機構として、特開平１１−３２１１８２号公報「ノック式筆記具」に開示されているように、ノック体と一体またはノック体の前進によって連動する、係合体に形成した係止部を、クリップの玉部に形成した止め部に係止し、ポケット装着時等の、クリップの軸筒側面からの離間作動により前記係止部の係止状態が解除され、前記弾性体の付勢力によりセーフティ部材を後退させ、該セーフティ部材の後退に連動して摺動体も後退させることにより、筆記先端部を軸筒内に没入させる構造のものは知られている。
【０００４】
こうしたセーフティ機構を具備したノック式筆記具は、ポケットに装着した後は、クリップ部材と軸筒間にポケットが介在して係止部が止め部に係止できなくなるので、筆記先端部が没入した状態でポケットに装着すれば、誤ってノック体を押圧して筆記先端部を突出する状態を維持することがないという効果もある。
【０００５】
ところで、実開平７−４０１９２号公報「紐付き部品」のように、ボールペン等の筆記具に紐部材を装着しているものは知られている。こうした筆記具は、紐部材を首から掛けて持ち運ぶことができ、カバンなどに紐部材を係合して持ち運ぶこともできるので携帯性、利便性が高まることになる。
【特許文献１】「特開平７−３２３６９６号公報」
【特許文献２】「特開平１１−７８３５６号公報」
【特許文献３】「実開平７−４０１９２号公報」
【発明の開示】
【発明が解決しようとする課題】
【０００６】
しかしながら、ノック体または係合体に形成した係止部を、クリップの玉部に形成した止め部に係止する構造は、落下等、何らかの理由によりクリップが破損した場合に、ノック体または係合体に形成した係止部が、クリップの玉部に形成した止め部に係止できず、コイルスプリングの付勢力によって後退してしまうため、筆記先端部の突出状態を維持することができなかった。
【０００７】
本発明の目的は、上述した従来の問題点に鑑み、ポケットに装着した時、筆記先端部が没入した状態を維持し、筆記先端部が突出することのないノック筆記具を簡単な構造で提供することである。
【課題を解決するための手段】
【０００８】
本発明は、軸筒内に、筆記具用レフィルをコイルスプリングにより軸筒後端方向に付勢して配設するとともに、軸筒に後端部に、軸筒後端開口部から突出して付設したノック体を押圧することによって、前記筆記具用レフィルの筆記先端部を軸筒の先端開口部から出没可能な出没機構を具備したノック式筆記具に紐部材を装着してなる紐部材付きノック式筆記具であって、前記ノック体を着脱自在に付設するとともに、該ノック体の後端部に貫通孔を形成し、前記紐部材が、前記ノック体の貫通孔を連通して装着してあることを特徴とする。
【０００９】
また、前記出没機構が、ノック体、押し棒、回転カム、カム溝からなる回転カムによる出没機構であって、前記紐部材が、前記押し棒の後端部に形成した貫通孔を連通するとともに、前記紐部材に、押し棒の貫通孔の径より大きい抜け防止部を一体に形成または付設したことを特徴とする。
【発明の効果】
【００１０】
ポケットに装着した時、筆記先端部が没入した状態を維持し、筆記先端部が突出することのないノック筆記具を簡単な構造で提供することができた。
【発明を実施するための最良の形態】
【００１１】
次に図面を参照しながら、本発明の紐部材付きノック式筆記具の実施例を説明するが、本発明は以下の実施例に限定されるものではない。
【実施例１】
【００１２】
図１から図４に示す紐部材付き実施例１のノック式筆記具１は、前軸２の雄ねじ部と後軸３の雌ねじとを螺合した軸筒内に、インキ収容筒８の先端にチップホルダー９を介してボールペンチップ１０を装着し、インキ収容筒８の後端に尾栓１１を装着し、インキ収容管８の内部に筆記具用インキ（図示せず）を収容した筆記具用レフィル７を、コイルスプリング１２によって後軸３の後端開口部３ａ方向に付勢して収納してある。また、後軸３の後端部にはクリップ１３を一体に設けてある。
【００１３】
ノック式筆記具１の出没機構は、後軸３の内壁面に回転カム４を前後に摺動案内し回転させるためのカム溝（図示せず）と、回転カム４、回転カム４の後端に回転カム４を摺動し回転を付与するためのカム部を有した押し棒５、及びノック体６からなる、従来から知れている回転カム４による出没機構であり、ノック体６を押圧することによりインキ収容筒８の先端のボールペンチップ１０を前軸２の先端開口部２ａより出没可能としてある。
【００１４】
ノック式筆記具１を使用する場合には、ノック体６を押圧（図４の矢印Ｆ方向）することによって、回転カム４による出没機構を作動させ、ボールペンチップ１０を前軸２の先端開口部２ａから突出させる。また、ボールペンチップ１０を先端開口部２ａから突出した状態で、ノック体６を再度、押圧すると、回転カム４による出没機構が作動し、コイルスプリング１２の付勢力によってボールペンチップ１０を先端開口部２ａから没入することができる。
【００１５】
ノック体６は、ノック体６の内壁に形成した雌ねじ部６ｂと、押し棒５の外壁に形成した雄ねじ部５ｂとを着脱自在に螺合してあり、押し棒５の後端部及びノック体６の後端部には貫通孔５ａ、６ａを形成してある。また、押し棒５は、ノック体６を取り外した状態で、後軸３の後端開口部から落下しないように、押し棒５の最大外径部を後軸３の後端開口部３ａの径より大きくしてある。
【００１６】
また、押し棒５の貫通孔５ａとノック体６の貫通孔６ａを連通するように紐部材１４を装着するとともに、紐部材１４には、押し棒５の貫通孔５ａ及びノック体６の貫通孔６ａから容易に抜けないように、押し棒５の貫通孔５ａの径より大きい連結部材１５とノック体６の貫通孔６ａの径より大きい連結部材１６によって連結してある。
【００１７】
ボールペンチップ１０が先端開口部２ａから没入している状態で、ノック体６を押し棒５から取り外すと、図３に示すように後軸３の後端から突出する部分がなくなり、ノック操作ができなくなり、回転カム４による出没機構を作動できないので、ボールペンチップ１０が前軸２の先端開口部２ａから突出することはない。
【００１８】
この時、紐部材１４を押し棒５及びノック体６の貫通孔５ａ、６ａに、押し棒５から容易に脱落しないように連通して装着してあるので、ノック体６を取り外しても、紐部材１４によってノック体６を紛失することはない。
【００１９】
また、紐部材１４を押し棒５及びノック体６の貫通孔５ａ、６ａに連通して装着することによって、紐部材１４のリングの大きさをノック体６によって調整することができるので、新たな部品を必要としないので好ましい。
【００２０】
また、出没機構がクリップ１３に依存しないので、落下等、何らかの理由によりクリップが破損しても出没機構を作動して、ボールペンチップ１０を前軸２の先端開口部２ａから出没可能である。
【実施例２】
【００２１】
図５から図７に示す実施例２の紐部材付きノック式筆記具２１は、実施例１と同様に、前軸２の雄ねじ部と後軸２３の雌ねじとを螺合した軸筒内に、インキ収容筒８の先端にチップホルダー９を介してボールペンチップ１０を装着し、インキ収容筒８の後端には尾栓１１を装着し、インキ収容管８の内部に筆記具用インキ（図示せず）を収容した筆記具用レフィル７を、コイルスプリング１２によって後軸２３後端開口部２３ａ方向に付勢して収納してある。また、後軸２３の後端部にはクリップ３３を一体に設けてある。
【００２２】
ノック体６は、ノック体６の内壁に形成した雌ねじ部６ｂと、押し棒５の外壁に形成した雄ねじ部５ｂとを着脱自在に螺合してある。また、クリップ３３の側壁及びノック体６の後端部には貫通孔３４ａ、６ａを形成してある。また、押し棒５は、ノック体６を取り外した状態で、後軸２３の後端開口部から落下しないように、押し棒５の最大外径部を後軸２３の後端開口部２３ａの径より大きくしてある。
【００２３】
また、クリップ３３の貫通孔３３ａとノック体６の貫通孔６ａを連通するように紐部材３４を装着するとともに、紐部材３４には、ノック体６の貫通孔６ａから容易に抜けないように、ノック体６の貫通孔６ａの径より大きい連結部材３５によって連結してある。
【００２４】
ボールペンチップ１０が前軸２の先端開口部２ａから没入している状態で、ノック体６を押し棒５から取り外すと、図６に示すように後軸２３の後端から突出する部分がなくなり、ノック操作ができなくなるので、回転カム４、押し棒５、カム溝（図示せず）による出没機構を作動できないので、ボールペンチップ１０が前軸２の先端開口部２ａから突出することはない。
【００２５】
この時、紐部材３４をクリップ３３及びノック体６の貫通孔３３ａ、６ａに、ノック体６から容易に脱落しないように連通して装着してあるので、ノック体６を取り外しても、紐部材３４によってノック体６を紛失することはない。
【００２６】
本実施例では便宜上、回転カムによる出没機構を例示してあるが、軸筒後端から突出して付設したノック体を押圧することによって、前記筆記具用レフィルの筆記先端部を軸筒の先端開口部から出没可能な出没機構であって、出没機構がクリップに依存しない構造であれば特に限定されるものではない。
【００２７】
また、紐部材は、実施例のように首などに吊り下げるようなリング状に連結してあってもよいし、本や手帳等のしおりのように一本の状態で連結してあってもよい。
【産業上の利用可能性】
【００２８】
ノック体を取り外した状態にすることによって、本や手帳のしおりとして使用することができるとともに、筆記先端部が突出しないので、携帯性、利便性、安全性が高まることになる。
【図面の簡単な説明】
【００２９】
【図１】実施例１の紐部材付きノック式筆記具を示す、縦断面図である。
【図２】図１におけるボールペンチップを突出した状態を示す図である。
【図３】図１におけるノック体を取り外した状態を示す図である。
【図４】図１における一部省略した要部拡大図である。
【図５】実施例２の紐部材付きノック式筆記具を示す、縦断面図である。
【図６】図５におけるノック体を取り外した状態を示す図である。
【図７】図５における一部省略した要部拡大図である。
【符号の説明】
【００３０】
１、２１  ノック式筆記具
２  前軸
３、２３  後軸
４  回転カム
５  押し棒
５ａ  貫通孔
６  ノック体
６ａ  貫通孔
７  ボールペンレフィル
８  インキ収容筒
９  チップホルダー
１０  ボールペンチップ
１１  尾栓
１２  コイルスプリング
１３、３３  クリップ
３３ａ  貫通孔
１４、３４  紐部材
１５、１６、３５  連結部材
【図１】
2007021795.tif 000003
【図２】
2007021795.tif 000004
【図３】
2007021795.tif 000005
【図４】
2007021795.tif 000006
【図５】
2007021795.tif 000007
【図６】
2007021795.tif 000008
【図７】
2007021795.tif 000009